(57)【要約】【課題】  本発明は、端末板を端末板圧入部に圧入する際に発生する切削粉による前記端末板の取り付け誤差を無くすための内燃機関用点火コイルを提供することを目的とする。【解決手段】  本発明は、端末板収納部に端末板圧入部を圧入する際に発生する切削粉を収納できる切欠き部を端末板圧入部の先端部に設ける。また、本発明は、端末板収納部に端末板圧入部を圧入する際に発生する切削粉を収納できる切削粉収納部を端末板収納部の奥に設ける。本発明は、前記のような構成により、端末板の圧入後の寸法精度を安定させ、生産性および品質を向上させることができる。【選択図】    図２
2005259733.tif 000002
【特許請求の範囲】
【請求項１】
ボビンに巻回されている一次コイルおよび二次コイルと、
前記一次コイルおよび二次コイルを磁気的に結合させる鉄心と、
前記一次コイルおよび二次コイルと、前記鉄心を収納するケースと、
前記ボビンに連設された端末板保持部に圧入用リブが設けられた端末板収納部と、
前記端末板収納部に圧入する際の切削粉を収納できる切欠き部を備えた端末板と、
を少なくとも備えていることを特徴とする内燃機関用点火コイル。
【請求項２】
ボビンに巻回されている一次コイルおよび二次コイルと、
前記一次コイルおよび二次コイルを磁気的に結合させる鉄心と、
前記一次コイルおよび二次コイルと、前記鉄心を収納するケースと、
前記ボビンに連設された端末板保持部に圧入用リブが設けられているとともに、切削粉を収納できる切削粉収納部が設けられた端末板収納部と、
前記端末板収納部に圧入する端末板と、
を少なくとも備えていることを特徴とする内燃機関用点火コイル。
【請求項３】
前記端末板に設けられた切欠き、または端末板収納部に設けられた切削粉収納部は、前記圧入用リブの最奥部に相当する位置に成形されていることを特徴とする請求項１または請求項２に記載された内燃機関用点火コイル。
【発明の詳細な説明】
【技術分野】
【０００１】
本発明は、自動車エンジン等の内燃機関の火花プラグにおいて、火花放電を発生させるために高電圧を供給する内燃機関用点火コイルに関するものである。特に、本発明は、内燃機関用点火コイルにおけるコイルボビンに成形された端末板保持部、および前記端末板保持部に圧入される端末板の形状および構造に関するものである。
【背景技術】
【０００２】
図５（イ）は従来の内燃機関用点火コイルにおける端末板を保持する端末板保持部を説明するための断面図、（ロ）は端末板保持部を説明するための断面図、（ハ）は端末板保持部に端末板を圧入した際の状態を説明するための断面図である。図６（イ）は従来の内燃機関用点火コイルにおける端末板保持部に設けられた端末板収納部を説明するための側面図、（ロ）は前記端末板収納部の断面図である。図７は従来の内燃機関用点火コイルにおける端末板を説明するための平面図である。図８（イ）は従来の内燃機関用点火コイルにおけるボビンを説明するための平面図、（ロ）は平面図のＡ−Ａ線断面図、（ハ）は左側面図である。
【０００３】
図８に示すボビン５５には、図示されていない一次コイルまたは二次コイルが巻回されている。また、前記ボビン５５には、鍔５６が連設されている。さらに、前記鍔５６には、前記一次コイルまたは二次コイルの電線と他部品を接続するための端末板を保持する端末板保持部５２が設けられている。
【０００４】
前記端末板保持部５２には、図７に示されている端末板５１に成形されている端末板圧入部５１２を圧入する端末板収納部５２１が成形されている。また、前記端末板保持部５２の内部には、端末板圧入部５１２を圧入した後、抜け出ないようにするための圧入用リブ５２２が圧入方向に沿って成形されている。
【０００５】
前記端末板５１の端末板圧入部５１２は、図５（イ）ないし（ハ）に示されているように、端末板収納部５２１に圧入される。前記端末板圧入部５１２の圧入に際し、圧入用リブ５２２が切削され、切削粉５３が前記端末板収納部５２１の奥に残される。
【０００６】
また、コイルボビンには、特開２０００−１８２８６１に示すように、鉄心を挿入する一次コイルボビンの鉄心挿通孔に挿入する鉄心の断面より広い開口面を有する拡幅段部を設けて接着剤溜まりを形成した内燃機関用点火コイルがある。
【０００７】
【特許文献１】特開２０００−１８２８６１
【発明の開示】
【発明が解決しようとする課題】
【０００８】
前記従来の技術では、端末板圧入部５１２を端末板収納部５２１に圧入した後に、前記端末板圧入部５１２の先端部５１３と前記端末板収納部５２１の間に、圧入の際に圧入用リブ５２２が切削されてできた切削粉５３が溜まり、端末板圧入部５１２の後端部５１６が前記端末板収納部５２１から食み出すことになる（図５（ロ）参照）。この結果、前記従来の技術における内燃機関用点火コイルは、前記端末板５１を圧入後、寸法が安定しないので、生産性および品質を向上させることができないという課題があった。
【０００９】
本発明は、以上のような課題を解決するために、端末板における端末板圧入部に切削粉を収納できる切欠き部を設けた内燃機関用点火コイルを提供することを目的とする。
【００１０】
本発明は、以上のような課題を解決するために、端末板を収納する端末板収納部に切削粉を収納する切削粉収納部を設けた内燃機関用点火コイルを提供することを目的とする。
【課題を解決するための手段】
【００１１】
（第１発明）
第１発明の内燃機関用点火コイルは、ボビンに巻回されている一次コイルおよび二次コイルと、前記一次コイルおよび二次コイルを磁気的に結合させる鉄心と、前記一次コイルおよび二次コイルと、前記鉄心を収納するケースと、前記ボビンに連設された端末板保持部に圧入用リブが設けられた端末板収納部と、前記端末板収納部に圧入する際の切削粉を収納できる切欠き部を備えた端末板と、を少なくとも備えていることを特徴とする。
【００１２】
（第２発明）
第２発明の内燃機関用点火コイルは、ボビンに巻回されている一次コイルおよび二次コイルと、前記一次コイルおよび二次コイルを磁気的に結合させる鉄心と、前記一次コイルおよび二次コイルと、前記鉄心を収納するケースと、前記ボビンに連設された端末板保持部に圧入用リブが設けられているとともに、切削粉を収納できる切削粉収納部が設けられた端末板収納部と、前記端末板収納部に圧入する端末板と、を少なくとも備えていることを特徴とする。
【００１３】
（第３発明）
第３発明の内燃機関用点火コイルにおいて、前記端末板に設けられた切欠き、または端末板収納部に設けられた切削粉収納部は、前記圧入用リブの最奥部に相当する位置に成形されていることを特徴とする。
【発明の効果】
【００１４】
本発明によれば、端末板収納部に端末板圧入部を圧入する際に発生する切削粉を収納できる切欠き部を端末板圧入部の先端部に設けることにより、端末板の圧入後の寸法精度を安定させ、生産性および品質を向上させることができる。
【００１５】
本発明によれば、端末板収納部に端末板圧入部を圧入する際に発生する切削粉を収納できる切削粉収納部を端末板収納部の奥に設けることにより、端末板の圧入後の寸法精度を安定させ、生産性および品質を向上させることができる。
【発明を実施するための最良の形態】
【００１６】
（第１発明）
第１発明の内燃機関用点火コイルは、ボビンに巻回されている一次コイルおよび二次コイルと、前記一次コイルおよび二次コイルを磁気的に結合させる鉄心と、前記一次コイルおよび二次コイルと前記鉄心とを収納するケースと、前記一次コイルまたは二次コイルの電線と他部品を接続するための端末板と、前記端末板を収納する端末板収納部とから少なくとも構成されている。
【００１７】
前記端末板収納部は、前記ボビンに連設された端末板保持部に設けられているとともに、前記端末板を圧入した後、抜け出ないようにするための圧入用リブが設けられている。また、前記端末板は、前記端末板収納部に圧入する際に、前記圧入用リブを切削しながら内部に収納される。また、前記端末板は、前記端末板の圧入により切削された圧入用リブの切削粉を収納するための切欠き部が先端に成形されている。
【００１８】
前記端末板は、圧入の際に、切削された切削粉が前記端末板の先端に成形された切欠き部に収納されるため、前記端末板収納部の規定位置まで圧入することができる。したがって、第１発明は、前記端末板の圧入後の寸法を安定させることができるため、内燃機関用点火コイルの生産性および品質を向上させる。
【００１９】
（第２発明）
第２発明は、ボビンの端末板収納部に切削粉を収納できる切削粉収納部が設けられている点で、第１発明と異なっている。すなわち、第１発明は、端末板に切削粉を収納する切欠き部が設けられているのに対して、第２発明は、ボビンの端末板収納部に切削粉を収納する切削粉収納部が設けられている。
【００２０】
（第３発明）
第３発明は、端末板に設けられた切欠き部、または端末板収納部に設けられた切削粉収納部が端末板収納部に設けられた前記圧入用リブの最奥部に相当する位置に成形されている。第３発明は、端末板を端末板収納部に圧入する際に、前記圧入用リブを切削し、その切削粉が集まる部分に切欠き部または切削粉収納部が設けられている必要がある。
【００２１】
さらに、第１から第３発明は、必要により、端末板保持部に少なくとも一つの圧入用リブが設けられている。前記圧入用リブは、前記端末板が圧入される際に、切削しながら圧入できるように、圧入方向に沿って成形されている。すなわち、前記圧入用リブは、圧入方向に沿っていれば、前記端末板収納部の上、下、あるいは側部に設けることができる。また、前記圧入用リブの形状は、前記端末板を圧入する際に、前記圧入用リブの頂部を切削して、抜けない程度の大きさであれば、特に限定されない。
【実施例１】
【００２２】
図１は本発明の第一実施例で、内燃機関用点火コイルにおける端末板を説明するための平面図である。図１において、端末板１１は、後述する端末板保持部に圧入する端末板圧入部１１２と、前記端末板圧入部１１２における端末板先端部１１５に成形された少なくとも一つの切欠き部１１３と、端末板凹部１１４、１１４′とから構成されている。
【００２３】
前記切欠き部１１３には、後述する圧入の際に切削される圧入用リブの切削粉１３が収納される。端末板凹部１１４、１１４′は、図１の上下方向に弾性を持たせ、後述する端末板保持部における端末板収納部に圧入する際に端末板１１が抜け出ないようにする。
【００２４】
図２（イ）は本発明の第一実施例で、端末板を圧入する端末板保持部を説明するための断面図で、（ロ）は同じく断面図である。図２（イ）および（ロ）において、端末板保持部１２には、図１に示す端末板圧入部１１２が圧入できる端末板収納部１２１が成形されている。また、前記端末板収納部１２１には、端末板圧入部１１２の圧入方向に沿って圧入用リブ１２２が成形されている。
【００２５】
前記圧入用リブ１２２は、前記端末板圧入部１１２の圧入方向と一致していれば、端末板収納部１２１の上部、下部、あるいは側部のいずれに設けても良い。また、前記圧入用リブ１２２の形状は、前記端末板圧入部１１２を端末板収納部１２１に圧入する際に、適度に切削されて、圧入後、抜け出ないのであれば、特に限定されない。
【００２６】
前記端末板１１の端末板圧入部１１２は、圧入用リブ１２２を切削しながら、端末板収納部１２１に圧入される。前記圧入に際し発生する切削粉１３は、前記端末板圧入部１１２の切欠き部１１３と端末板収納部１２１の最奥部によって形成される部分に収納される。したがって、前記端末板圧入部１１２の端末板先端部１１５と端末板後端部１１６とは、図２（ロ）に示すごとく、前記端末板収納部１２１に完全に収納されて、前記端末板後端部１１６が前記端末板収納部１２１から突出することがない。
【実施例２】
【００２７】
図３は本発明の第二実施例で、内燃機関用点火コイルにおける端末板を説明するための側面図である。図４（イ）は本発明の第二実施例の断面図、（ロ）は断面図である。図３および図４（イ）および（ロ）において、端末板１１は、端末板保持部１２に圧入する端末板圧入部１１２が成形されており、その端末板先端部１１５′が平坦に構成されている。
【００２８】
前記端末板収納部１２１は、前記第一実施例と同様に、前記端末板圧入部１１２が圧入される際に切削される圧入用リブ１２２が成形されて、端末板１１が抜け出ないようにする。
【００２９】
前記端末板保持部１２は、その最奥部に切削粉１３を収納する少なくとも一つの切削粉収納部１４が成形されている。前記端末板１１の端末板圧入部１１２は、圧入用リブ１２２を切削しながら、端末板収納部１２１に圧入される。前記圧入に際して発生する切削粉１３は、前記端末板保持部１２に成形されている切削粉収納部１４に収納される。したがって、前記端末板圧入部１１２の端末板先端部１１５′と端末板後端部１１６′とは、図４（ロ）に示すごとく、前記端末板収納部１２１に完全に収納されて、前記端末板収納部１２１から突出することがない。
【００３０】
第一実施例および第二実施例における圧入用リブ１２２と、切欠き部１１３または切削粉収納部１４との関係は、位置的にほぼ同じにしておくと、端末板圧入部１１２の圧入により、切削粉１３が容易に前記部分に収納される。
【産業上の利用可能性】
【００３１】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の端末板あるいは端末板保持部の形状および寸法は、本発明の主旨を逸脱しない限り設計変更を行うことができる。
【図面の簡単な説明】
【００３２】
【図１】本発明の第一実施例で、内燃機関用点火コイルにおける端末板を説明するための平面図である。（実施例１）
【図２】（イ）は本発明の第一実施例で、端末板を圧入する端末板保持部を説明するための断面図で、（ロ）は同じく断面図である。
【図３】本発明の第二実施例で、内燃機関用点火コイルにおける端末板を説明するための側面図である。（実施例２）
【図４】（イ）は本発明の第二実施例の断面図、（ロ）は断面図である。
【図５】（イ）は従来の内燃機関用点火コイルにおける端末板を保持する端末板保持部を説明するための断面図、（ロ）は端末板保持部を説明するための断面図、（ハ）は端末板保持部に端末板を圧入した際の状態を説明するための断面図である。
【図６】（イ）は従来の内燃機関用点火コイルにおける端末板保持部に設けられた端末板収納部を説明するための側面図、（ロ）は前記端末板収納部の断面図である。
【図７】従来の内燃機関用点火コイルにおける端末板を説明するための平面図である。
【図８】（イ）は従来の内燃機関用点火コイルにおけるボビンを説明するための平面図、（ロ）は平面図のＡ−Ａ線断面図、（ハ）は左側面図である。
【符号の説明】
【００３３】
１１・・・端末板
１１２・・・端末板圧入部
１１３・・・切欠き部
１１４・・・端末板凹部
１１５・・・端末板先端部
１１６・・・端末板後端部
１２・・・端末板保持部
１２１・・・端末板収納部
１２２・・・圧入用リブ
１３・・・切削粉
１４・・・切削粉収納部
【図１】
2005259733.tif 000003
【図２】
2005259733.tif 000004
【図３】
2005259733.tif 000005
【図４】
2005259733.tif 000006
【図５】
2005259733.tif 000007
【図６】
2005259733.tif 000008
【図７】
2005259733.tif 000009
【図８】
2005259733.tif 000010